(57)【要約】本発明は、（Ａ）成分：高級脂肪酸塩を除くアニオン界面活性剤と、（Ｂ）成分：ノニオン界面活性剤と、（Ｃ）成分：炭酸水素塩と、（Ｄ）成分：キレート剤と、を含有し、前記（Ｃ）成分／前記（Ｄ）成分で表される質量比が０．６以上２０以下である、衣料用液体洗浄剤組成物に関する。【特許請求の範囲】
【請求項１】
（Ａ）成分：高級脂肪酸塩を除くアニオン界面活性剤と、
（Ｂ）成分：ノニオン界面活性剤と、
（Ｃ）成分：炭酸水素塩と、
（Ｄ）成分：キレート剤と、を含有し、
前記（Ｃ）成分／前記（Ｄ）成分で表される質量比が０．６以上２０以下である、衣料用液体洗浄剤組成物。
【請求項２】
前記（Ｃ）成分の含有量が、衣料用液体洗浄剤組成物の総質量に対して、１質量％以上４質量％以下である、請求項１に記載の衣料用液体洗浄剤組成物。
【請求項３】
前記（Ｄ）成分の含有量が、衣料用液体洗浄剤組成物の総質量に対して、０．１５質量％以上１．５質量％以下である、請求項１又は２に記載の衣料用液体洗浄剤組成物。
【請求項４】
前記（Ａ）成分／（前記（Ａ）成分＋前記（Ｂ）成分）で表される質量比が０．２以上１未満である、請求項１〜３のいずれか一項に記載の衣料用液体洗浄剤組成物。
【請求項５】
（Ｅ）成分：酵素、をさらに含有する、請求項１〜４のいずれか一項に記載の衣料用液体洗浄剤組成物。
【請求項６】
（Ｆ）成分：炭素数８〜２２の脂肪酸、をさらに含有する、請求項１〜５のいずれか一項に記載の衣料用液体洗浄剤組成物。
【請求項７】
（Ｇ）成分：前記（Ｃ）成分を除くアルカリ剤、をさらに含有する、請求項１〜６のいずれか一項に記載の衣料用液体洗浄剤組成物。
【請求項８】
（Ｈ）成分：酸化防止剤、をさらに含有する、請求項１〜７のいずれか一項に記載の衣料用液体洗浄剤組成物。
【請求項９】
２５℃における粘度が３０ｍＰａ・ｓ以上１５００ｍＰａ・ｓ以下である、請求項１〜８のいずれか一項に記載の衣料用液体洗浄剤組成物。
【発明の詳細な説明】
【技術分野】
【０００１】
本発明は、衣料用液体洗浄剤組成物に関する。
本願は、２０１７年１２月２１日に日本に出願された特願２０１７−２４５５５６号に基づき優先権を主張し、その内容をここに援用する。
【背景技術】
【０００２】
界面活性剤濃度が低い液体洗浄剤組成物を増粘する場合、アクリル酸系高分子、又はアニオン界面活性剤と無機塩との組合せが利用される。
しかし、アクリル酸系高分子を利用する場合、塗布洗浄性の低下が懸念される。塗布洗浄性とは、液体洗浄剤組成物を衣類等の被洗物に直接塗布して任意の時間放置し、その後通常の洗濯を行う方法における洗浄性能のことである。加えて、アクリル酸系高分子を利用する場合、低温（５℃以下）時の液体安定性（一定期間保存時の固化、析出、白濁及び分離の生じにくさ）の低下が懸念される。
アニオン界面活性剤と無機塩との組合せにおいて、無機塩として硫酸ナトリウムを利用する場合、低温保存条件で針状や板状の結晶を析出する（低温時の液体安定性が悪い）問題がある。
こうした問題に対し、特許文献１には、特定の溶剤と界面活性剤とを含有する液体洗浄剤組成物が提案されている。特許文献１の液体洗浄剤組成物は、適度な粘度を有し、低温時の液体安定性の改善が図られている。
【先行技術文献】
【特許文献】
【０００３】
【特許文献１】特開２０１４−３７５０３号公報
【発明の概要】
【発明が解決しようとする課題】
【０００４】
しかしながら、液体洗浄剤組成物には、より低温での液体安定性が求められている。
そこで、本発明は、適度な粘度を有し、低温時の液体安定性により優れる衣料用液体洗浄剤組成物を目的とする。
【課題を解決するための手段】
【０００５】
鋭意検討を重ねた結果、本発明者等は、炭酸水素塩とキレート剤とを特定の割合で組み合わせることで、液体洗浄剤組成物の低温時の液体安定性が向上することを見出した。
即ち、本発明は、以下の態様を有する。【０００６】
［１］（Ａ）成分：高級脂肪酸塩を除くアニオン界面活性剤と、（Ｂ）成分：ノニオン界面活性剤と、（Ｃ）成分：炭酸水素塩と、（Ｄ）成分：キレート剤と、を含有し、前記（Ｃ）成分／前記（Ｄ）成分で表される質量比が０．６以上２０以下である、衣料用液体洗浄剤組成物。
［２］前記（Ｃ）成分の含有量が、衣料用液体洗浄剤組成物の総質量に対して、１質量％以上４質量％以下である、［１］に記載の衣料用液体洗浄剤組成物。
［３］前記（Ｄ）成分の含有量が、衣料用液体洗浄剤組成物の総質量に対して、０．１５質量％以上１．５質量％以下である、［１］又は［２］に記載の衣料用液体洗浄剤組成物。
［４］前記（Ａ）成分／（前記（Ａ）成分＋前記（Ｂ）成分）で表される質量比が０．２以上１未満である、［１］〜［３］のいずれか一項に記載の衣料用液体洗浄剤組成物。
［５］（Ｅ）成分：酵素、をさらに含有する、［１］〜［４］のいずれか一項に記載の衣料用液体洗浄剤組成物。
［６］（Ｆ）成分：炭素数８〜２２の脂肪酸、をさらに含有する、［１］〜［５］のいずれか一項に記載の衣料用液体洗浄剤組成物。
［７］（Ｇ）成分：前記（Ｃ）成分を除くアルカリ剤、をさらに含有する、［１］〜［６］のいずれか一項に記載の衣料用液体洗浄剤組成物。
［８］（Ｈ）成分：酸化防止剤、をさらに含有する、［１］〜［７］のいずれか一項に記載の衣料用液体洗浄剤組成物。
［９］２５℃における粘度が３０ｍＰａ・ｓ以上１５００ｍＰａ・ｓ以下である、［１］〜［８］のいずれか一項に記載の衣料用液体洗浄剤組成物。
【発明の効果】
【０００７】
本発明の衣料用液体洗浄剤組成物によれば、適度な粘度を有し、低温時の液体安定性により優れる。
【発明を実施するための形態】
【０００８】
［衣料用液体洗浄剤組成物］
本発明の衣料用液体洗浄剤組成物（以下、単に液体洗浄剤ともいう）は、（Ａ）成分、（Ｂ）成分、（Ｃ）成分、及び（Ｄ）成分を含有する組成物である。
本発明の組成物は、２５℃において液体であり、衣料用の洗浄剤として好適に用いられる。
本明細書において、「衣料」とは、衣服や下着類等の衣類に加え、タオルやシーツ、クッションカバー等、洗濯の洗浄対象（被洗物）となる布や合成繊維を含む概念である。
【０００９】
＜（Ａ）成分＞
（Ａ）成分は、高級脂肪酸塩を除くアニオン界面活性剤である。本発明の液体洗浄剤は、（Ａ）成分を含有することで、衣類の汚れに対する洗浄力を発揮する。本明細書において、高級脂肪酸とは、炭素数８〜２２の脂肪酸である。脂肪酸とは、鎖式炭化水素基の端に１個のカルボキシル基を有するカルボン酸をいう。本明細書において、高級脂肪酸塩とは、炭素数８〜２２の脂肪酸の塩である。
【００１０】
（Ａ）成分としては、例えば、以下の（１）〜（１０）が挙げられる。
（１）炭素数８〜１８のアルキル基を有する直鎖状又は分岐鎖状のアルキルベンゼンスルホン酸塩（ＬＡＳ又はＡＢＳ）。
（２）炭素数１０〜２０のα−スルホ脂肪酸エステル塩（ＭＥＳ）。
（３）炭素数１０〜２０のα−オレフィンスルホン酸塩（ＡＯＳ）。
（４）ポリオキシエチレンモノアルキルリン酸塩、ポリオキシエチレンジアルキルリン酸塩又はポリオキシエチレンセスキアルキルリン酸塩。
（５）炭素数２〜４のアルキレンオキシドのいずれか、又はエチレンオキシド（ＥＯ）とプロピレンオキシド（ＰＯ）（ＥＯ／ＰＯのモル比が０．１／９．９〜９．９／０．１）を、平均０．５〜１０モル付加した炭素数１０〜２０の直鎖状又は分岐鎖状のアルキル（又はアルケニル）基を有するアルキル（又はアルケニル）エーテル硫酸塩（ＡＥＳ）。
（６）炭素数２〜４のアルキレンオキシドのいずれか、又はエチレンオキシドとプロピレンオキシド（ＥＯ／ＰＯのモル比が０．１／９．９〜９．９／０．１）を、平均３〜３０モル付加した炭素数１０〜２０の直鎖状又は分岐鎖状のアルキル（又はアルケニル）基を有するアルキル（又はアルケニル）フェニルエーテル硫酸塩。
（７）炭素数２〜４のアルキレンオキシドのいずれか、又はエチレンオキシドとプロピレンオキシド（ＥＯ／ＰＯのモル比が０．１／９．９〜９．９／０．１）を、平均０．５〜１０モル付加した炭素数１０〜２０の直鎖状又は分岐鎖状のアルキル（又はアルケニル）基を有するアルキル（又はアルケニル）エーテルカルボン酸塩。
（８）炭素数１０〜２０のアルキルグリセリルエーテルスルホン酸のようなアルキル多価アルコールエーテル硫酸塩。ここで、多価アルコールとは、分子内に水酸基を２個以上有するアルコールをいう。
（９）長鎖モノアルキルリン酸塩、長鎖ジアルキルリン酸塩又は長鎖セスキアルキルリン酸塩。ここで、長鎖アルキルとは、炭素数１２〜２６のアルキル基をいう。
（１０）炭素数１０〜２０のアルキル硫酸塩又は炭素数１０〜２０のアルケニル硫酸塩（ＡＳ）。
【００１１】
（Ａ）成分としては、上記で例示した以外のアニオン界面活性剤を用いてもよい。例えば、ポリオキシアルキレンエーテルカルボン酸塩、アルキルアミドエーテルカルボン酸塩又はアルケニルアミドエーテルカルボン酸塩、アシルアミノカルボン酸塩等のカルボン酸型アニオン界面活性剤；アルキルリン酸エステル塩、ポリオキシアルキレンアルキルリン酸エステル塩、ポリオキシアルキレンアルキルフェニルリン酸エステル塩、グリセリン脂肪酸エステルモノリン酸エステル塩等のリン酸エステル型アニオン界面活性剤等が挙げられる。
アニオン界面活性剤の塩の形態としては、ナトリウム塩、カリウム塩等のアルカリ金属塩；マグネシウム塩等のアルカリ土類金属塩；モノエタノールアミン塩、ジエタノールアミン塩等のアルカノールアミン塩；アンモニウム塩等が挙げられる。中でも、アルカリ金属塩が好ましい。
【００１２】
（Ａ）成分は、１種を単独で用いてもよく、２種以上を併用してもよい。
（Ａ）成分としては、上記の中でも、より良好な洗浄性が得られやすいことから、前記の（１）、（２）、（３）及び（５）からなる群より選択される少なくとも１種のアニオン界面活性剤を含むことが好ましく、（１）、（２）、（３）及び（５）の組み合わせ、（１）、（３）及び（５）の組み合わせ、（１）、（２）及び（５）の組み合わせ、並びに（１）及び（５）の組み合わせ、からなる群より選択される少なくとも１種の組み合わせであるアニオン界面活性剤を含むことがより好ましい。
【００１３】
（Ａ）成分の含有量は、液体洗浄剤の総質量に対して、２質量％以上２０質量％以下が好ましく、３質量％以上１８質量％以下がより好ましく、５質量％以上１６質量％以下がさらに好ましい。（Ａ）成分の含有量が上記下限値以上であると、増粘した液体洗浄剤が得られやすい。タンパク洗浄力に優れる液体洗浄剤が得られやすい。また、再汚染防止性に優れる液体洗浄剤が得られやすい。また、（Ａ）成分の含有量が上記上限値以下であると、流動性の良好な液体洗浄剤が得られやすい。
本明細書において、タンパク洗浄力とは、タンパク質汚れに対する洗浄力のことを意味する。また、再汚染防止性とは、洗濯処理を施すことによって被洗物から脱離した汚れが、再び被洗物に付着するのを防止する性質のことを意味する。
【００１４】
本発明の１つの態様において、（Ａ）成分は、前述の（２）を含んでいてもよい。また、（２）は、下記一般式（ａ１）で表されるα−スルホ脂肪酸塩エステル（以下、（ａ）成分ともいう）であることが好ましい。
Ｒ１ＣＨ（ＳＯ３Ｍ）ＣＯＯＲ２    ・・・（ａ１）
（一般式（ａ１）中、Ｒ１は炭素数１０〜１６の炭化水素基であり、Ｒ２は炭素数１〜６の炭化水素基であり、Ｍは対イオンである。）
【００１５】
（（ａ）成分）
一般式（ａ１）中、Ｒ１の炭化水素基の炭素数は１０〜１６である。つまり、（ａ）成分が有する脂肪酸残基の炭素数は１２〜１８である。脂肪酸残基とは、アシル基部分を指す。Ｒ１の炭素数が１０以上であれば、表面活性が強く、塗布洗浄性がより良好になる。
Ｒ１の炭素数が１６以下であれば、液体洗浄剤の低温時の液体安定性が優れる。
【００１６】
Ｒ１の炭化水素基は、直鎖状であってもよく、分岐鎖状であってもよく、環状の構造を含んでいてもよい。Ｒ１の炭化水素基は、脂肪族炭化水素基であることが好ましく、直鎖状若しくは分岐鎖状のアルキル基、又は直鎖状若しくは分岐鎖状のアルケニル基がより好ましく、直鎖状のアルキル基、又は直鎖状のアルケニル基がさらに好ましい。
Ｒ１としては、デシル基、ドデシル基、テトラデシル基、ヘキサデシル基、デセニル基、ドデセニル基、テトラデセニル基、ヘキサデセニル基等が挙げられる。
【００１７】
一般式（ａ１）中、Ｒ２の炭素数は１〜６であり、１〜３が好ましい。
Ｒ２の炭化水素基は、直鎖状であってもよく、分岐鎖状であってもよく、環状の構造を含んでいてもよい。Ｒ２の炭化水素基は、脂肪族炭化水素基であることが好ましく、直鎖状若しくは分岐鎖状のアルキル基、又は直鎖状若しくは分岐鎖状のアルケニル基がより好ましく、直鎖状のアルキル基、又は分岐鎖状のアルキル基がさらに好ましい。
Ｒ２としては、塗布洗浄性がより向上することから、メチル基、エチル基、ｎ−プロピル基、イソプロピル基等が好ましく、メチル基、エチル基、ｎ−プロピル基が好ましく、メチル基が特に好ましい。
【００１８】
一般式（ａ１）中、Ｍの対イオンとしては、Ｒ１ＣＨ（ＣＯＯＲ２）ＳＯ３−とともに水溶性の塩を形成し得るものが好ましく、例えばアルカリ金属イオン、プロトン化したアミン、アンモニウムイオン等が挙げられる。前記対イオンとなり得るアルカリ金属としては、ナトリウム等が挙げられる。前記対イオンとなり得るアミンとしては、第１〜３級アミン等が挙げられる。前記アミンの総炭素数は１〜６であることが好ましい。前記アミンとしては、メチルアミン、エチルアミン、ジメチルアミン、ジエチルアミン、トリメチルアミン、トリエチルアミン等が挙げられる。また、前記アミンは、ヒドロキシ基を有していてもよい。（ａ）成分の水に対する溶解性が高まることから、前記アミンはヒドロキシ基を有することが好ましい。ヒドロキシ基を有するアミンとしては、アルカノールアミンが挙げられ、前記アルカノール基の炭素数は１〜３が好ましい。アルカノールアミンとしては、モノエタノールアミン、ジエタノールアミン、トリエタノールアミン等が挙げられる。
Ｍとしては、入手しやすい点、液体洗浄剤の低温時の液体安定性がより高められやすくなる点等から、アルカリ金属イオンが好ましく、ナトリウムイオンが特に好ましい。
（ａ）成分としては、一般式（ａ１）におけるＲ１が炭素数１４〜１６の、直鎖状若しくは分岐鎖状のアルキル基、又は直鎖状若しくは分岐鎖状のアルケニル基であり、Ｒ２がメチル基である化合物が特に好ましい。
【００１９】
（ａ）成分は、１種を単独で用いてもよく、２種以上を併用してもよい。
（ａ）成分としては、塗布洗浄性が高まるとともに、水への溶解性が高まることから、脂肪酸残基の炭素数が異なる化合物を混合した混合物であることが好ましい。特に、一般式（ａ１）におけるＲ１が炭素数１４の炭化水素基である化合物（ａ−１）と、一般式（ａ１）におけるＲ１が炭素数１６の炭化水素基である化合物（ａ−２）との混合物が好ましい。かかる混合物において、化合物（ａ−１）と化合物（ａ−２）との質量比は、（ａ−１）：（ａ−２）＝４５：５５〜９５：５が好ましく、６０：４０〜９０：１０がより好ましく、８０：２０〜８５：１５がさらに好ましい。かかる質量比が上記数値範囲内であると、塗布洗浄性、水への溶解性、液体洗浄剤の低温時の液体安定性がより良好となりやすい。
【００２０】
（ａ）成分は、公知の製造方法により得られるものが用いられてもよい。例えば、撹拌機付きの槽型反応装置等を定法により使用し、原料の脂肪酸エステルを、無水硫酸等に接触させてスルホン化することによりα−スルホ脂肪酸エステル（α−ＳＦ酸）を調製する。次いで、前記α−ＳＦ酸を、水酸化ナトリウム等で中和することにより得られるものが用いられてもよい。（ａ）成分は、市販品が用いられてもよい。なお、中和の前後に、過酸化水素等で漂白を行ったものであってもよい。
【００２１】
（ａ）成分の含有量は、液体洗浄剤の総質量に対して、０質量％以上６質量％以下が好ましく、０．５質量％以上５．０質量％以下がより好ましく、１．０質量％以上３．０質量％以下がさらに好ましい。（ａ）成分の含有量が上記数値範囲内であると、塗布洗浄性、再汚染防止性、分散安定性、酵素安定性に優れる液体洗浄剤が得られやすくなる。また、他の成分の配合の自由度を保ちやすくなる。
また、（Ａ）成分中の（ａ）成分の割合（（ａ）／（Ａ））は、０／１００以上５０／１００以下が好ましく、５／１００以上４０／１００以下がより好ましく、１０／１００以上３０／１００以下がさらに好ましい。
【００２２】
＜（Ｂ）成分＞
（Ｂ）成分は、ノニオン界面活性剤である。本発明の液体洗浄剤は、（Ｂ）成分を含有することで、液体安定性、消泡性、皮脂洗浄力を向上できる。本明細書において、消泡性とは、液体洗浄剤の泡を消滅させる性能をいう。皮脂洗浄力とは、皮脂汚れに対する洗浄力をいう。
【００２３】
（Ｂ）成分としては、例えば以下の（１１）〜（１５）が挙げられる。
（１１）炭素数６〜２２、好ましくは８〜１８の１価脂肪族アルコールに炭素数２〜４のアルキレンオキシドを平均３〜３０モル、好ましくは３〜２０モル、さらに好ましくは５〜１０モル付加した、ポリオキシアルキレンアルキル（又はアルケニル）エーテル。この中でも、ポリオキシエチレンアルキル（又はアルケニル）エーテル、ポリオキシエチレンポリオキシプロピレンアルキル（又はアルケニル）エーテルが好適である。ここで使用される１価脂肪族アルコールとしては、第１級アルコール、第２級アルコールが挙げられる。また、そのアルキル基は、分岐鎖を有していてもよい。脂肪族アルコールとしては、第１級アルコールが好ましい。第１級アルコールとしては、１−ドデカノール、１−テトラデカノール、１−オクタデカノール等が挙げられる。
（１２）ポリオキシエチレンアルキル（又はアルケニル）フェニルエーテル。
（１３）長鎖脂肪酸アルキルエステルのエステル結合間にアルキレンオキシドが付加した脂肪酸アルキルエステルアルコキシレート。ここで、長鎖脂肪酸とは、炭素数１２〜２６の脂肪酸をいう。
（１４）ポリオキシエチレン脂肪酸エステル。
（１５）ポリオキシエチレン硬化ヒマシ油。
【００２４】
（Ｂ）成分は、１種を単独で用いてもよく、２種以上を併用してもよい。
（Ｂ）成分としては、上記（１１）又は（１３）のものが好ましく、中でも、下記一般式（ｂ１）又は（ｂ２）で表されるものが好ましい。
Ｒ３−Ｃ（＝Ｏ）Ｏ−［（ＥＯ）ｓ／（ＰＯ）ｔ］−（ＥＯ）ｕ−Ｒ４・・・（ｂ１）
Ｒ５−Ｏ−［（ＥＯ）ｖ／（ＰＯ）ｗ］−（ＥＯ）ｘ−Ｈ・・・（ｂ２）
（一般式（ｂ１）中、Ｒ３は炭素数７〜２２の炭化水素基であり、Ｒ４は炭素数１〜６のアルキル基であり、ｓはＥＯの平均繰り返し数を表し、６〜２０の数であり、ｔはＰＯの平均繰り返し数を表し、０〜６の数であり、ｕはＥＯの平均繰り返し数を表し、０〜２０の数であり、ＥＯはオキシエチレン基を表し、ＰＯはオキシプロピレン基を表す。
一般式（ｂ２）中、Ｒ５は炭素数６〜２２の炭化水素であり、ｖはＥＯの平均繰り返し数を表し、３〜２０の数であり、ｗはＰＯの平均繰り返し数を表し、０〜６の数であり、ｘはＥＯの平均繰り返し数を表し、０〜２０の数であり、ＥＯはオキシエチレン基を表し、ＰＯはオキシプロピレン基を表す。）
【００２５】
一般式（ｂ１）中、Ｒ３は、炭素数７〜２２の炭化水素基である。Ｒ３の炭素数は、９〜２１が好ましく、１１〜２１がより好ましい。
Ｒ３は、アルキル基、アルケニル基が好ましい。
Ｒ３は直鎖又は分岐鎖のいずれであってもよい。
洗浄力のさらなる向上を図る観点から、Ｒ３は、直鎖もしくは分岐鎖の炭素数７〜２２のアルキル基、又は直鎖もしくは分岐鎖の炭素数７〜２２のアルケニル基が好ましい。
Ｒ３としては、ドデシル基、テトラデシル基、ヘキサデシル基、オクタデシル基、ドデセニル基、テトラデセニル基、ヘキサデセニル基、オクタデセニル基等が挙げられる。
一般式（ｂ１）中、Ｒ４は、炭素数１〜６のアルキル基であり、直鎖又は分岐鎖のいずれであってもよい。なかでもメチル基又はエチル基が好ましい。
一般式（ｂ１）中、ｓ、ｕは、それぞれ独立にＥＯの平均繰り返し数を表す数である。
ｓ＋ｕは６〜２０であることが好ましく、６〜１８がより好ましく、１１〜１８がさらに好ましい。上記下限値以上であれば、液体安定性がより向上しやすくなる。上記上限値以下であれば、洗浄力がより向上しやすくなる。
一般式（ｂ１）中、ｔは、ＰＯの平均繰り返し数を表す数である。
ｔは０〜６の数であり、０〜３が好ましい。上記上限値以下であれば、液体安定性がより向上しやすくなる。
ｔが１以上である場合、［（ＥＯ）ｓ／（ＰＯ）ｔ］において、オキシエチレン基とオキシプロピレン基とは、ランダム状に結合してもよいし、ブロック状に結合してもよい。
なお、本明細書において、平均繰り返し数は、ガスクロマトグラフィー等によって測定することができる。
【００２６】
一般式（ｂ２）中、Ｒ５は、炭素数６〜２２の炭化水素基である。
一般式（ｂ２）中、Ｒ５の炭素数は、洗浄力のさらなる向上を図る観点から、１０〜２２が好ましく、１０〜２０がより好ましく、１０〜１８がさらに好ましい。
Ｒ５は、直鎖又は分岐鎖であってもよい。
Ｒ５としては、ドデシル基、テトラデシル基等の炭素数１２〜１４の第１級アルコール由来のアルキル基が好ましい。
一般式（ｂ２）中、ｖ、ｘは、それぞれ独立にＥＯの平均繰り返し数を表す数である。
ｖ＋ｘは３〜２０であることが好ましく、５〜１８がより好ましく、６〜１５がさらに好ましく、７〜１２が特に好ましく、７〜１０が最も好ましい。上記下限値以上であれば、消泡性や液体安定性がより向上しやすくなる。上記上限値以下であれば、洗浄力がより向上しやすくなる。
一般式（ｂ２）中、ｗは、ＰＯの平均繰り返し数を表す数である。
ｗは０〜６の数であり、０〜３が好ましい。上記上限値以下であれば、液体安定性がより向上しやすくなる。
ｗが１以上である場合、［（ＥＯ）ｖ／（ＰＯ）ｗ］において、オキシエチレン基とオキシプロピレン基とは、ランダム状に結合してもよいし、ブロック状に結合してもよい。
【００２７】
一般式（ｂ２）中のＥＯ又はＰＯの分布は、製造する際の反応方法によって変動する。
例えば、一般的なアルカリ触媒である水酸化ナトリウムや水酸化カリウム等を用いて、エチレンオキシドやプロピレンオキシドを原料に付加した場合には、ｖ又はｗの分布は、比較的広くなる。特公平６−１５０３８号公報に記載のＡｌ３＋、Ｇａ３＋、Ｉｎ３＋、Ｔｌ３＋、Ｃｏ３＋、Ｓｃ３＋、Ｌａ３＋、Ｍｎ２＋等の金属イオンを添加した酸化マグネシウム等の特定のアルコキシル化触媒を用いてエチレンオキシドやプロピレンオキシドを原料に付加した場合には、ｖ又はｗの分布は、比較的狭くなる。
【００２８】
一般式（ｂ１）で表されるノニオン界面活性剤（以下、（ｂ１）成分ともいう）は、ナロー率が２０質量％以上であることが好ましく、２５質量％以上であることがより好ましい。前記ナロー率が高いほど、良好な洗浄力が得られる。また、前記ナロー率が２０質量％以上、特に２５質量％以上であると、界面活性剤の原料臭気の少ない洗浄剤組成物が得られやすくなる。
（ｂ１）成分を常法により製造した場合、生成物中には、（ｂ１）成分とともに、洗浄力に寄与しない成分、例えば、（ｂ１）成分の原料である脂肪酸エステルや、一般式（ｂ１）で表されるノニオン界面活性剤のｓが１又は２であるエチレンオキシド付加体が共存し、ナロー率を低下させる。そのためナロー率が高いと、共存する成分が十分に少なく、洗浄力の低下、原料臭気の問題が生じにくくなる。
一般式（ｂ２）で表されるノニオン界面活性剤（以下、（ｂ２）成分ともいう）の場合も同様である。
前記ナロー率の上限値としては特に限定されないが、実質的には前記ナロー率が８０質量％以下であることが好ましい。
前記ナロー率としては、液体安定性と溶解性が向上するため、２０質量％以上５０質量％以下であることがより好ましく、２０質量％以上４０質量％以下がさらに好ましい。
ここで、本明細書において「ナロー率」とは、ＥＯの付加モル数が異なるエチレンオキシド付加体の分布の割合を示し、下記の数式（Ｓ）で表される。
【００２９】
【数１】
2019124486.tif 000002
【００３０】
式（Ｓ）において、ｓｍａｘは、全体のエチレンオキシド付加体中に最も多く存在するエチレンオキシド付加体のＥＯの付加モル数を示す。ｉはＥＯの付加モル数を示す。Ｙｉは全体のエチレンオキシド付加体中に存在する、ＥＯの付加モル数がｉであるエチレンオキシド付加体の割合（質量％）を示す。
【００３１】
前記ナロー率は、例えば、（ｂ１）成分又は（ｂ２）成分の製造方法等によって制御することができる。（ｂ１）成分の製造方法としては、特に限定されるものではないが、例えば、表面改質された複合金属酸化物触媒を用いて、脂肪酸アルキルエステルにエチレンオキシドを付加重合させる方法（特開２０００−１４４１７９号公報参照）により容易に製造することができる。（ｂ２）成分の製造方法としては、例えば表面改質された複合金属酸化物触媒を用いて、炭素数６〜２２のアルコールにエチレンオキシドを付加重合させる方法により製造することができる。
かかる方法に用いられる表面改質された複合金属酸化物触媒の好適なものとしては、具体的には、金属水酸化物等により表面改質された金属イオン（Ａｌ３＋、Ｇａ３＋、Ｉｎ３＋、Ｔｌ３＋、Ｃｏ３＋、Ｓｃ３＋、Ｌａ３＋、Ｍｎ２＋等）が添加された酸化マグネシウム等の複合金属酸化物触媒や金属水酸化物及び金属アルコキシドより選ばれる１種以上により表面改質されたハイドロタルサイトの焼成物触媒等が挙げられる。
前記複合金属酸化物触媒を用いた表面改質においては、複合金属酸化物と、金属水酸化物及び金属アルコキシドより選ばれる１種以上とを併用することが好ましい。この場合、複合金属酸化物１００質量部に対して、金属水酸化物及び金属アルコキシドより選ばれる１種以上の割合を０．５質量部以上１０質量部以下とすることが好ましく、１質量部以上５質量部以下とすることがより好ましい。
【００３２】
その他の（ｂ１）成分の製造方法としては、アルカリ土類金属化合物とオキシ酸等の混合物より調製されるアルコキシル化触媒により、脂肪酸アルキルエステルにアルキレンオキシドを付加する方法がある。上記のアルコキシル化触媒については、日本国特許第０４９７７６０９号公報、ＷＯ１９９３００４０３０号公報、ＷＯ２００２０３８２６９号公報、ＷＯ２０１２０２８４３５号公報等で開示されており、例えば、カルボン酸のアルカリ土類金属塩及びヒドロキシカルボン酸のアルカリ土類金属塩より選ばれる１種以上と硫酸等の混合物より調製したアルコキシル化触媒等が挙げられる。
【００３３】
（Ｂ）成分としては、市販品を用いてもよいし、公知の合成方法で製造したものを用いてもよい。公知の合成方法として、（ｂ１）成分は、例えば、脂肪酸アルキルエステルにエチレンオキシド及びプロピレンオキシドより選ばれる１種以上を付加重合させる方法により製造することができる。（ｂ２）成分は、例えば炭素数６〜２２のアルコールにエチレンオキシド及びプロピレンオキシドより選ばれる１種以上を付加重合させる方法により製造することができる。
【００３４】
（Ｂ）成分の含有量は、液体洗浄剤の総質量に対して、１質量％以上２０質量％以下が好ましく、２質量％以上１５質量％以下がより好ましく、３質量％以上１０質量％以下がさらに好ましい。（Ｂ）成分の含有量が上記下限値以上であると、液体安定性、消泡性、皮脂洗浄力を向上しやすい。（Ｂ）成分の含有量が上記上限値以下であると、他の成分を十分量含有でき、（Ａ）成分との相乗効果が得られやすい。
【００３５】
（Ａ）成分と（Ｂ）成分の含有量の合計は、液体洗浄剤の総質量に対し、３質量％以上３５質量％以下が好ましく、５質量％以上３３質量％以下がより好ましく、８質量％以上３０質量％以下がさらに好ましい。（Ａ）成分と（Ｂ）成分の含有量の合計が上記下限値以上であると、増粘し、タンパク洗浄力に優れる液体洗浄剤が得られやすい。（Ａ）成分と（Ｂ）成分の含有量の合計が上記上限値以下であると、流動性が良好で、低温時の液体安定性に優れる液体洗浄剤が得られやすい。
【００３６】
（Ａ）成分／（（Ａ）成分＋（Ｂ）成分）で表される質量比（以下、（Ａ）／（（Ａ）＋（Ｂ））比ともいう）は、０．２以上１未満が好ましく、０．３以上０．９以下がより好ましく、０．４以上０．８以下がさらに好ましい。（Ａ）／（（Ａ）＋（Ｂ））比が上記下限値以上であると、タンパク洗浄力、再汚染防止性を向上しやすい。（Ａ）／（（Ａ）＋（Ｂ））比が上記上限値以下であると、消泡性を向上しやすい。
【００３７】
＜（Ｃ）成分＞
（Ｃ）成分は、炭酸水素塩である。本発明の液体洗浄剤は、（Ｃ）成分を含有することで、粘度、洗浄力及び低温時の液体安定性を向上できる。
（Ｃ）成分としては、例えば、炭酸水素ナトリウム、炭酸水素カリウム、セスキ炭酸ナトリウム等が挙げられる。
（Ｃ）成分は、１種を単独で用いてもよく、２種以上を併用してもよい。
【００３８】
（Ｃ）成分の含有量は、液体洗浄剤の総質量に対して、１．０質量％以上４．０質量％以下が好ましく、１．６質量％以上３．６質量％以下がより好ましく、１．８質量％以上３．２質量％以下がさらに好ましい。（Ｃ）成分の含有量が上記下限値以上であると、増粘効果が得られやすくなり、また、水道水で液体洗浄剤を希釈した後の希釈液のｐＨを弱アルカリ性（ｐＨ８超１１以下）に保ちやすく洗浄力を向上しやすい。（Ｃ）成分の含有量が上記上限値以下であると、低温での液外観が均一透明で良好な液体洗浄剤が得られやすくなる。特に、後述するサイクル試験で、良好な外観を保ちやすい。
【００３９】
＜（Ｄ）成分＞
（Ｄ）成分は、キレート剤である。本発明の液体洗浄剤は、（Ｄ）成分を含有することで、低温時の液体安定性を向上できる。
（Ｄ）成分は、主に水道水中、あるいは原料、あるいは汚れに含まれる多価金属イオンを捕捉すると考えられるものであって、これを水に溶かしたときに、多価金属イオンを捕捉する作用を有するものである。
【００４０】
（Ｄ）成分としては、分子量が５５０未満であり、アミノカルボン酸、アミノカルボン酸の塩、ヒドロキシカルボン酸、及びヒドロキシカルボン酸の塩からなる群から選択される少なくとも１種の化合物が挙げられる。
アミノカルボン酸とは、１分子中に窒素原子とカルボキシル基とを持つ化合物を意味する。
ヒドロキシカルボン酸とは、１分子中にカルボキシル基とアルコール性ヒドロキシ基とを持つ化合物のうち、アミノカルボン酸に該当しないものを意味する。
（Ｄ）成分の分子量は５５０未満であり、５０以上４００以下が好ましく、１００以上４００以下がより好ましい。（Ｄ）成分の分子量が上記数値範囲内であると、低温時の液体安定性をより向上しやすい。
【００４１】
（Ｄ）成分としては、アミノカルボン酸系キレート剤、又はヒドロキシカルボン酸系キレート剤が好ましい。
アミノカルボン酸系キレート剤としては、メチルグリシンジ酢酸又はその塩、Ｌ−グルタミン酸ジ酢酸又はその塩、ニトリロトリ酢酸又はその塩、エチレンジアミンテトラ酢酸又はその塩、ジエチレントリアミンペンタ酢酸又はその塩、β−アラニンジ酢酸又はその塩、Ｌ−アスパラギン酸ジ酢酸又はその塩、イミノジコハク酸又はその塩、エチレンジアミンジコハク酸又はその塩等のアミノカルボン酸又はその塩；セリンジ酢酸又はその塩、ヒドロキシイミノジコハク酸又はその塩、ヒドロキシエチルエチレンジアミン三酢酸又はその塩、ジヒドロキシエチルグリシン又はその塩等のヒドロキシアミノカルボン酸又はその塩が挙げられる。
【００４２】
ヒドロキシカルボン酸系キレート剤としては、乳酸又はその塩、リンゴ酸又はその塩、クエン酸又はその塩、酒石酸又はその塩、グリコール又はその塩、グルコン酸又はその塩等が挙げられる。
これら（Ｄ）成分の中でも、低温での液体安定性を向上できる観点から、クエン酸又はその塩、メチルグリシンジ酢酸又はその塩、ヒドロキシイミノジコハク酸又はその塩が好ましい。
（Ｄ）成分を構成する塩としては、ナトリウム塩、カリウム塩等のアルカリ金属塩；モノエタノールアミン塩（モノエタノールアンモニウム）、ジエタノールアミン塩（ジエタノールアンモニウム）、トリエタノールアミン塩（トリエタノールアンモニウム）等のアルカノールアミン塩；アンモニウム塩等が挙げられる。
（Ｄ）成分は、１種を単独で用いてもよく、２種以上を併用してもよい。
【００４３】
（Ｄ）成分の含有量は、液体洗浄剤の総質量に対して、０．１５質量％以上１．５質量％以下が好ましく、０．２質量％以上０．９質量％以下がより好ましく、０．３質量％以上０．７質量％以下がさらに好ましい。（Ｄ）成分の含有量が上記下限値以上であると、低温での液外観が均一透明で良好な液体洗浄剤が得られやすくなり、また、洗浄力を向上しやすい。（Ｄ）成分の含有量が上記上限値以下であると、低温での液外観が均一透明で良好な液体洗浄剤が得られやすくなる。特に、後述するサイクル試験で、良好な外観を保ちやすい。また、（Ｄ）成分の含有量が上記上限値以下であると、酵素の安定性が良好になり、増粘効果が得られやすくなる。
【００４４】
（Ｃ）成分／（Ｄ）成分で表される質量比（以下、（Ｃ）／（Ｄ）比ともいう）は、０．６以上２０以下であり、２．０以上１８以下が好ましく、２．５以上１１以下がより好ましい。（Ｃ）／（Ｄ）比が上記下限値以上であると、低温時の液体安定性をより向上しやすい。特に、後述するサイクル試験で、良好な外観を保ちやすい。（Ｃ）／（Ｄ）比が上記上限値以下であると、増粘効果が得られやすくなり、また、洗浄力を向上しやすい。
【００４５】
＜任意成分＞
本発明の液体洗浄剤は、本発明の効果を損なわない範囲内であれば、（Ａ）成分、（Ｂ）成分、（Ｃ）成分、（Ｄ）成分以外の任意成分を含有してもよい。
任意成分としては、例えば、酵素（（Ｅ）成分）、高級脂肪酸又はその塩（（Ｆ）成分）、（Ｃ）成分を除くアルカリ剤（（Ｇ）成分）、酸化防止剤（（Ｈ）成分）、着色剤（（Ｉ）成分）、（Ａ）成分及び（Ｂ）成分以外の界面活性剤、水、水混和性有機溶剤、増粘剤、減粘剤、可溶化剤、防腐剤、酵素安定化剤（例えば、塩化カルシウム、乳酸ナトリウム等）、風合い向上剤、保存安定性向上剤、蛍光剤、移染防止剤、再汚染防止剤（ソイルリリース剤）、パール剤、着香剤、乳濁化剤、天然物等のエキス等が挙げられる。
【００４６】
（（Ｅ）成分）
（Ｅ）成分は、酵素である。本発明の液体洗浄剤は、（Ｅ）成分を含有することで、皮脂汚れやタンパク汚れに対する洗浄力をより向上できる。
酵素としては、例えば、プロテアーゼ、アミラーゼ、リパーゼ、セルラーゼ、マンナナーゼ等が挙げられる。
（Ｅ）成分は、１種を単独で用いてもよく、２種以上を併用してもよい。
【００４７】
本発明の液体洗浄剤が（Ｅ）成分を含む場合、（Ｅ）成分の含有量は酵素製剤として、液体洗浄剤の総質量に対し、０．０１質量％以上１．０質量％以下が好ましく、０．０３質量％以上０．９質量％以下がより好ましく、０．０５質量％以上０．８質量％以下がさらに好ましい。（Ｅ）成分の含有量が上記下限値以上であると、洗浄力をより向上しやすい。（Ｅ）成分の含有量が上記上限値以下であると、低温時の液体安定性をより向上しやすい。
【００４８】
（（Ｆ）成分）
（Ｆ）成分は、高級脂肪酸又はその塩である。本発明の液体洗浄剤は、（Ｆ）成分を含有することで、消泡性を高められる。消泡性は、液体洗浄剤の泡立ちを抑える性質である。
（Ｆ）成分としては、例えば、カプリル酸、カプリン酸、ラウリン酸、ミリスチン酸、パルミチン酸、ステアリン酸、イソステアリン酸、ヒドロキシステアリン酸、オレイン酸、ベヘン酸等の単一脂肪酸又はそれらの塩、ヤシ油脂肪酸、牛脂脂肪酸等の混合脂肪酸又はそれらの塩等が挙げられる。
（Ｆ）成分を構成する塩としては、（Ｄ）成分を構成する塩と同様の塩が挙げられる。
（Ｆ）成分は、１種を単独で用いてもよく、２種以上を併用してもよい。（Ｆ）成分を２種以上併用することで、消泡性をより高めやすい。
【００４９】
本発明の液体洗浄剤が（Ｆ）成分を含む場合、（Ｆ）成分の含有量は、液体洗浄剤の総質量に対し、０．２質量％以上２．０質量％以下が好ましく、０．４質量％以上１．８質量％以下がより好ましく、０．６質量％以上１．５質量％以下がさらに好ましい。（Ｆ）成分の含有量が上記下限値以上であると、消泡性をより高めやすい。（Ｆ）成分の含有量が上記上限値以下であると、低温時の液体安定性をより向上しやすい。
【００５０】
（（Ｇ）成分）
（Ｇ）成分は、（Ｃ）成分を除くアルカリ剤である。本発明の液体洗浄剤は、（Ｇ）成分を含有することで、液体洗浄剤のｐＨをより高く調整できる。即ち、（Ｇ）成分は、ｐＨ調整剤として機能する。
（Ｇ）成分としては、例えば、モノエタノールアミン、ジエタノールアミン、トリエタノールアミン等のアルカノールアミン；水酸化ナトリウム、水酸化カリウム等が挙げられる。
（Ｇ）成分は、１種を単独で用いてもよく、２種以上を併用してもよい。
【００５１】
本発明の液体洗浄剤が（Ｇ）成分を含む場合、（Ｇ）成分の含有量は、液体洗浄剤の総質量に対し、０．０１質量％以上２．０質量％以下が好ましい。（Ｇ）成分の含有量が上記数値範囲内であると、液体洗浄剤のｐＨをより高く調整しやすい。
【００５２】
（（Ｈ）成分）
（Ｈ）成分は、酸化防止剤である。液体洗浄剤をプラスチック製の容器に入れて保管、使用する場合、容器内にはヘッドスペースと呼ばれる気体の空間が形成される。ヘッドスペース内の気体が減少すると、容器の変形を生じる可能性がある。本発明の液体洗浄剤は、（Ｃ）成分を含有する。（Ｃ）成分を含有する液体洗浄剤は、ヘッドスペース内の酸素を吸収しやすい。液体洗浄剤が、ヘッドスペース内の酸素を吸収すると、ヘッドスペース内の気体が減少し、容器の変形を生じるおそれがある。本発明の液体洗浄剤は、（Ｈ）成分を配合することにより、液体洗浄剤を収容する容器のヘッドスペース中の酸素の吸収を抑制しやすい。このため、容器の変形を生じるおそれを軽減しやすい。
加えて、液体洗浄剤が後述する（Ｉ）成分を含有する場合、（Ｈ）成分を含有することで、液体洗浄剤が光や熱に曝されたときの退色を抑制しやすい。
【００５３】
（Ｈ）成分としては、アスコルビン酸、ジブチルヒドロキシトルエン（ＢＨＴ）、ブチルヒドロキシアニソール（ＢＨＡ）、ジスチレン化クレゾール、亜硫酸ナトリウム、及び亜硫酸水素ナトリウム等が挙げられる。（Ｈ）成分は、アスコルビン酸、ＢＨＴ、ＢＨＡからなる群から選ばれる１種以上を含有することが好ましく、ヘッドスペース中の酸素の吸収を抑制しやすく、退色を抑制しやすい観点から、ＢＨＴがより好ましい。
【００５４】
本発明の液体洗浄剤が（Ｈ）成分を含む場合、（Ｈ）成分の含有量は、液体洗浄剤の総質量に対し、０．００５質量％以上１質量％以下であり、０．００８質量％以上０．８質量％以下が好ましく、０．０１質量％以上０．６質量％以下がより好ましい。（Ｈ）成分の含有量が上記下限値以上であると、ヘッドスペース中の酸素濃度低下を抑制する効果、光や熱による退色を抑制する効果が充分に得られやすい。（Ｈ）成分の含有量が上記上限値以下であると、低温時の液体安定性をより向上しやすい。
（Ｈ）成分は、１種を単独で用いてもよく、２種以上を併用してもよい。
【００５５】
（Ｃ）成分／（Ｈ）成分で表される質量比（以下、（Ｃ）／（Ｈ）比ともいう。）は、３以上１０００以下が好ましく、６．５以上７５０以下がより好ましく、２０以上２００以下がさらに好ましい。（Ｃ）／（Ｈ）比が上記下限値以上であると、洗浄力に優れる液体洗浄剤が得られやすい。（Ｃ）／（Ｈ）比が上記上限値以下であると、ヘッドスペース中の酸素濃度低下を抑制する効果、光や熱による退色を抑制する効果が充分に得られやすい。
【００５６】
（（Ｉ）成分）
（Ｉ）成分は、着色剤である。本発明の液体洗浄剤は、（Ｉ）成分を含有することにより、色を付けることができる。（Ｉ）成分は特に限定されず、「法定色素ハンドブック」（日本化粧品工業連合会）に記載の色素や、発色団の構造の末端に水溶性高分子等を化学的に修飾したもの等が挙げられる。
（Ｉ）成分としては、Ｃ．Ｉ．アシッドレッド１３８、Ｃ．Ｉ．アシッドレッド２６０、Ｃ．Ｉ．アシッドレッド１０６、アシッドイエロー２０３（黄色２０３号）、アシッドブルー９、青色１号、青色２０５号、緑色３号、Ｌｅｖａｎｙｌ（登録商標）  Ｖｉｏｌｅｔ（Ｌｅｖａｎｙｌ（登録商標）  バイオレット）、Ｌｉｑｕｉｔｉｎｔ（登録商標）  ＢＬＵＥ  ＳＥ（Ｌｉｑｕｉｔｉｎｔ（登録商標）  ブルー  ＳＥ）、Ｌｉｑｕｉｔｉｎｔ（登録商標）  ＢＬＵＥ  ＨＰ（Ｌｉｑｕｉｔｉｎｔ（登録商標）  ブルー  ＨＰ）、Ｌｉｑｕｉｔｉｎｔ（登録商標）ＢＬＵＥ  ＭＣ（Ｌｉｑｕｉｔｉｎｔ（登録商標）  ブルー  ＭＣ）、Ｌｉｑｕｉｔｉｎｔ（登録商標）  ＶＩＯＬＥＴ  ＣＴ（Ｌｉｑｕｉｔｉｎｔ（登録商標）  バイオレット  ＣＴ）、Ｌｉｑｕｉｔｉｎｔ（登録商標）  ＶＩＯＬＥＴ  ＬＳ（Ｌｉｑｕｉｔｉｎｔ（登録商標）  バイオレット  ＬＳ）、Ｌｉｑｕｉｔｉｎｔ（登録商標）  ＶＩＯＬＥＴ  ＤＤ（Ｌｉｑｕｉｔｉｎｔ（登録商標）  バイオレット  ＤＤ）、Ｌｉｑｕｉｔｉｎｔ（登録商標）  ＧＲＥＥＮ  ＳＡ（Ｌｉｑｕｉｔｉｎｔ（登録商標）  グリーン  ＳＡ）、Ｌｉｑｕｉｔｉｎｔ（登録商標）  Ｂｒｉｇｈｔ  Ｙｅｌｌｏｗ（Ｌｉｑｕｉｔｉｎｔ（登録商標）  ブライト  イエロー）、Ｌｉｑｕｉｔｉｎｔ（登録商標）ＹＥＬＬＯＷ  ＳＹ（Ｌｉｑｕｉｔｉｎｔ（登録商標）  イエロー  ＳＹ）、Ｌｉｑｕｉｔｉｎｔ（登録商標）ＹＥＬＬＯＷ  ＬＰ（Ｌｉｑｕｉｔｉｎｔ（登録商標）  イエロー  ＬＰ）、Ｌｉｑｕｉｔｉｎｔ（登録商標）ＢＲＩＬＬＩＡＮＴ  ＯＲＡＮＧＥ（Ｌｉｑｕｉｔｉｎｔ（登録商標）ブリリアント  オレンジ）、Ｌｉｑｕｉｔｉｎｔ（登録商標）  ＰＩＮＫ  ＡＬ（Ｌｉｑｕｉｔｉｎｔ（登録商標）  ピンク  ＡＬ）、Ｌｉｑｕｉｔｉｎｔ（登録商標）  ＲＥＤ  ＳＴ（Ｌｉｑｕｉｔｉｎｔ（登録商標）  レッド  ＳＴ）、Ｌｉｑｕｉｔｉｎｔ（登録商標）  ＲＥＤ  ＭＸ（Ｌｉｑｕｉｔｉｎｔ（登録商標）  レッド  ＭＸ）等の汎用の色素や顔料等が挙げられる。なお、本明細書において、「Ｃ．Ｉ．」は、カラーインデックスの略である。
【００５７】
本発明の液体洗浄剤が（Ｉ）成分を含有する場合、（Ｉ）成分の含有量は、液体洗浄剤の総質量に対し、０．００００５質量％以上０．０１質量％以下が好ましい。（Ｉ）成分の含有量が上記下限値以上であると、液体洗浄剤に充分に色を付けることができる。（Ｉ）成分の含有量が上記上限値以下であると、被洗物への色素沈着がしにくく、分散安定性に優れる液体洗浄剤が得られやすくなる。
（Ｉ）成分は、１種を単独で用いてもよく、２種以上を併用してもよい。
【００５８】
（（Ａ）成分及び（Ｂ）成分以外の界面活性剤）
本発明の液体洗浄剤は、（Ａ）成分及び（Ｂ）成分以外の界面活性剤（以下、他の界面活性剤ともいう）を含有してもよい。
他の界面活性剤としては、高級脂肪酸の塩（石鹸、（Ｆ）成分）、カチオン界面活性剤、両性界面活性剤等が挙げられる。
【００５９】
他の界面活性剤の含有量は、液体洗浄剤の総質量に対し、０質量％以上１０質量％以下が好ましい。
界面活性剤の総質量に対する（Ａ）成分と（Ｂ）成分の合計の含有量は、８０質量％以上が好ましく、８５質量％以上がより好ましく、９０質量％以上がさらに好ましく、１００質量％であってもよい。
【００６０】
（水）
本発明の液体洗浄剤は、水を含むことが好ましい。水の含有量は、液体洗浄剤の総質量に対し、１０質量％以上９５質量％以下が好ましく、２０質量％以上９０質量％以下がより好ましく、４０質量％以上９０質量％以下がさらに好ましい。水の含有量が上記下限値以上であると、製造時のハンドリングのしやすさ及び使用する際の水への溶解性がより優れる。水の含有量が上記上限値以下であると、洗浄力により優れる。
【００６１】
水混和性有機溶剤としては、エタノール、１−プロパノール、２−プロパノール、１−ブタノール、３−メトキシ−３−メチル−１−ブタノール（ソルフィット、商品名）等のアルコール類；プロピレングリコール（ＰＧ）、ブチレングリコール、ヘキシレングリコール等のグリコール類；ジエチレングリコール、トリエチレングリコール、テトラエチレングリコール、分子量約２００〜１０００のポリエチレングリコール、ジプロピレングリコール等のポリグリコール類；ジエチレングリコールモノメチルエーテル、ジエチレングリコールモノエチルエーテル、ジエチレングリコールモノブチルエーテル（ブチルカルビトール）、ジエチレングリコールジメチルエーテル等のアルキルエーテル類等が挙げられる。
これらの中でも、臭気の少なさ、入手のしやすさ、液体洗浄剤の流動性の観点等から、エタノール、３−メトキシ−３−メチル−１−ブタノール、プロピレングリコール、分子量２００〜１０００のポリエチレングリコール、ジエチレングリコールモノブチルエーテル（ブチルカルビトール）が好ましい。
水混和性有機溶剤は、１種を単独で用いてもよく、２種以上を併用してもよい。
なお、本明細書において、水混和性有機溶剤とは、２５℃のイオン交換水１Ｌに５０ｇ以上溶解する有機溶剤をいう。
本明細書において、ポリグリコール類の分子量は、質量平均分子量を意味する。
【００６２】
本発明の液体洗浄剤が水混和性有機溶剤を含有する場合、水混和性有機溶剤の含有量は、液体洗浄剤の総質量に対して、０．１質量％以上１０質量％以下が好ましく、０．１質量％以上５質量％以下がより好ましい。
【００６３】
防腐剤としては、２−ブロモ−２−ニトロプロパン−１，３−ジオール、３−ヨードプロピニルブチルカーバメート、ジンクピリチオン、ナトリウムピリチオン、オクチルイソチアゾリン−３−オン、１，２−ベンゾイソチアゾリン−３−オン（ＢＩＴ）、５−クロロ−２−メチルイソチアゾリン−３−オン（ＣＭＩＴ）、２−メチルイソチアゾリン−３−オン（ＭＩＴ）、オクタンジオール、ベンジルアルコール、フェノキシエタノール、安息香酸ナトリウム等が挙げられる。
防腐剤は、１種を単独で用いてもよく、２種以上を併用してもよい。
本発明の液体洗浄剤が防腐剤を含有する場合、防腐剤の含有量は、液体洗浄剤の総質量に対し、０．００１質量％以上１質量％以下が好ましい。
【００６４】
着香剤としては、香料が挙げられる。香料としては、例えば、特開２００２−１４６３９９号公報の表１１〜１８に記載の香料組成物Ａ、Ｂ、Ｃ、Ｄ等が挙げられる。
液体洗浄剤が着香剤を含有する場合、着香剤の含有量は、液体洗浄剤の総質量に対して、０．１質量％以上１．５質量％以下が好ましい。
【００６５】
乳濁化剤としては、ポリスチレンエマルション、ポリ酢酸ビニルエマルション等が挙げられ、通常、固形分３０〜５０質量％のエマルションが好適に用いられる。具体例としては、ポリスチレンエマルション（商品名：サイビノール（登録商標）ＲＰＸ−１９６  ＰＥ−３、固形分４０質量％、サイデン化学株式会社製）、Ｏｐｕｌｙｎ  ３０１、Ａｃｕｓｏｌ  ＯＰ  ３０１等が挙げられる。
乳濁化剤は、１種を単独で用いてもよく、２種以上を併用してもよい。
本発明の液体洗浄剤が乳濁化剤を含有する場合、乳濁化剤の含有量は、液体洗浄剤の総質量に対し、０．００１質量％以上０．５質量％以下が好ましい。
【００６６】
なお、本発明の液体洗浄剤を構成する成分の合計量は１００質量％を超えない。すなわち、（Ａ）成分〜（Ｄ）成分、任意成分の合計量は、１００質量％を超えない。
【００６７】
本発明の一つの側面は、衣料用液体洗浄剤組成物が、（Ａ）成分としてポリオキシエチレンアルキルエーテル硫酸塩（アルキル基の炭素数１２〜１４、エチレンオキシドの平均付加モル数：２、含有量：液体洗浄剤の総質量に対して２質量％以上２０質量％以下、より好ましくは３質量％以上１５質量％以下、さらに好ましくは４質量％以上１０質量％以下）及び直鎖アルキルベンゼンスルホン酸（アルキル基の炭素数１０〜１４、含有量：液体洗浄剤の総質量に対して２質量％以上２０質量％以下、より好ましくは２質量％以上１５質量％以下、さらに好ましくは２質量％以上７質量％以下）を、（Ｂ）成分としてポリオキシエチレンアルキルエーテル（アルキル基の炭素数１２〜１４、エチレンオキシドの平均付加モル数：５〜１５、より好ましくは５〜９、含有量：液体洗浄剤の総質量に対して１質量％以上２０質量％以下、より好ましくは２質量％以上１５質量％以下、さらに好ましくは３質量％以上１０質量％以下）を、（Ｃ）成分として炭酸水素ナトリウム（含有量：液体洗浄剤の総質量に対して１．０質量％以上４．０質量％以下、より好ましくは１．６質量％以上３．６質量％以下、さらに好ましくは１．８質量％以上３．２質量％以下）を、（Ｄ）成分としてクエン酸（含有量：液体洗浄剤の総質量に対して０．１５質量％以上１．５質量％以下、より好ましくは０．２質量％以上０．９質量％以下、さらに好ましくは０．３質量％以上０．７質量％以下）を、（Ｅ）成分としてプロテアーゼ（含有量：液体洗浄剤の総質量に対して０．０１質量％以上１．０質量％以下、より好ましくは０．０３質量％以上０．９質量％以下、さらに好ましくは０．０５質量％以上０．８質量％以下）を、（Ｆ）成分としてラウリン酸（含有量：液体洗浄剤の総質量に対して０．２質量％以上２．０質量％以下、より好ましくは０．４質量％以上１．８質量％以下、さらに好ましくは０．６質量％以上１．５質量％以下）、パルミチン酸（含有量：液体洗浄剤の総質量に対して０．１質量％以上０．５質量％以下）及びステアリン酸（含有量：液体洗浄剤の総質量に対して０．１質量％以上０．５質量％以下）を、（Ｇ）成分として水酸化ナトリウム４８質量％水溶液（含有量：液体洗浄剤の総質量に対して０．０１質量％以上２．０質量％以下）を、（Ｈ）成分としてジブチルヒドロキシトルエン（含有量：液体洗浄剤の総質量に対して０．００５質量％以上１質量％以下、より好ましくは０．００８質量％以上０．８質量％以下、さらに好ましくは０．０１質量％以上０．６質量％以下）を、（Ｉ）成分としてＬｉｑｕｉｔｉｎｔ（登録商標）  ＢＬＵＥ  ＨＰ（含有量：液体洗浄剤の総質量に対して０．００００５質量％以上０．０１質量％以下）を、着香剤として特開２００２−１４６３９９号公報記載の香料組成物Ａ（含有量：液体洗浄剤の総質量に対して０．１質量％以上１質量％以下）を、水として精製水（含有量：液体洗浄剤の総質量に対して１０質量％以上９５質量％以下、より好ましくは２０質量％以上９０質量％以下、さらに好ましくは４０質量％以上９０質量％以下）を含む（ただし、各成分の含有量の合計は、液体洗浄剤の総質量に対して１００質量％を超えない）。
【００６８】
本発明の別の側面は、衣料用液体洗浄剤組成物が、（Ａ）成分としてポリオキシエチレンアルキルエーテル硫酸塩（アルキル基の炭素数１２〜１４、エチレンオキシドの平均付加モル数：２、含有量：液体洗浄剤の総質量に対して２質量％以上２０質量％以下、より好ましくは３質量％以上１５質量％以下、さらに好ましくは４質量％以上１０質量％以下）及び直鎖アルキルベンゼンスルホン酸（アルキル基の炭素数１０〜１４、含有量：液体洗浄剤の総質量に対して２質量％以上２０質量％以下、より好ましくは２質量％以上１５質量％以下、さらに好ましくは２質量％以上７質量％以下）を、（Ｂ）成分としてポリオキシエチレンアルキルエーテル（アルキル基の炭素数１２〜１４、エチレンオキシドの平均付加モル数：５〜１５、より好ましくは５〜９、含有量：液体洗浄剤の総質量に対して１質量％以上２０質量％以下、より好ましくは２質量％以上１５質量％以下、さらに好ましくは３質量％以上１０質量％以下）を、（Ｃ）成分として炭酸水素ナトリウム（含有量：液体洗浄剤の総質量に対して１．０質量％以上４．０質量％以下、より好ましくは１．６質量％以上３．６質量％以下、さらに好ましくは１．８質量％以上３．２質量％以下）を、（Ｄ）成分としてクエン酸（含有量：液体洗浄剤の総質量に対して０．１５質量％以上１．５質量％以下、より好ましくは０．２質量％以上０．９質量％以下、さらに好ましくは０．３質量％以上０．７質量％以下）を、（Ｅ）成分としてプロテアーゼ（含有量：液体洗浄剤の総質量に対して０．０１質量％以上１．０質量％以下、より好ましくは０．０３質量％以上０．９質量％以下、さらに好ましくは０．０５質量％以上０．８質量％以下）を、（Ｆ）成分としてラウリン酸（含有量：液体洗浄剤の総質量に対して０．２質量％以上２．０質量％以下、より好ましくは０．４質量％以上１．８質量％以下、さらに好ましくは０．６質量％以上１．５質量％以下）及びパルミチン酸（含有量：液体洗浄剤の総質量に対して０．１質量％以上０．５質量％以下）を、（Ｇ）成分として水酸化ナトリウム４８質量％水溶液（含有量：液体洗浄剤の総質量に対して０．０１質量％以上２．０質量％以下）及びモノエタノールアミン（含有量：液体洗浄剤の総質量に対して０．０１質量％以上２．０質量％以下）を、（Ｉ）成分としてＬｉｑｕｉｔｉｎｔ（登録商標）  ＢＬＵＥ  ＨＰ（含有量：液体洗浄剤の総質量に対して０．００００５質量％以上０．０１質量％以下）を、着香剤として特開２００２−１４６３９９号公報記載の香料組成物Ａ（含有量：液体洗浄剤の総質量に対して０．１質量％以上１質量％以下）を、防腐剤として安息香酸ナトリウム（含有量：液体洗浄剤の総質量に対して０．００１質量％以上１質量％以下）を、水混和性有機溶剤として分子量１０００のポリエチレングリコール（含有量：液体洗浄剤の総質量に対して０．１質量％以上１０質量％以下、より好ましくは０．１質量％以上５質量％以下）を、水として精製水（含有量：液体洗浄剤の総質量に対して１０質量％以上９５質量％以下、より好ましくは２０質量％以上９０質量％以下、さらに好ましくは４０質量％以上９０質量％以下）を含む（ただし、各成分の含有量の合計は、液体洗浄剤の��質量に対して１００質量％を超えない）。
【００６９】
本発明のさらに別の側面は、（Ａ）成分と（Ｂ）成分と（Ｃ）成分と（Ｄ）成分とを含有し、（Ｃ）成分／（Ｄ）成分で表される質量比が０．６以上２０以下である液体洗浄剤組成物の衣料のための使用を含む。
【００７０】
［液体洗浄剤の製造方法］
本発明の液体洗浄剤は、従来公知の方法により、（Ａ）成分〜（Ｄ）成分と、必要に応じて任意成分と、を混合することにより製造される。なお、発泡を防ぐため、（Ｃ）成分の混合後に、クエン酸等の酸成分の混合は行わないことが好ましい。
最終的に得られる液体洗浄剤の２５℃におけるｐＨは、７以上１０以下が好ましく、８以上１０以下がより好ましい。ｐＨが上記数値範囲内であると、酵素（（Ｅ）成分）の安定性が高く、洗浄力を向上しやすい。
ｐＨは、ｐＨ調整剤である（Ｇ）成分を適量添加することにより調整できる。
本明細書におけるｐＨは、測定対象を２５℃とし、ｐＨメーター（製品名：ＨＭ−３０Ｇ、東亜ディーケーケー株式会社製）により測定される値を意味する。
【００７１】
液体洗浄剤の２５℃における粘度は、４０ｍＰａ・ｓ以上１５００ｍＰａ・ｓ以下が好ましく、６０ｍＰａ・ｓ以上１１００ｍＰａ・ｓ以下がより好ましく、１００ｍＰａ・ｓ以上６００ｍＰａ・ｓ以下がさらに好ましい。粘度が上記下限値以上であると、衣類への塗布のしやすさ、液体の濃厚感、高級感を向上しやすい。粘度が上記上限値以下であると、キャップへの注ぎやすさ、液ダレ性、液切れ性を向上しやすい。
本明細書において、２５℃における粘度は、ブルックフィールド型（Ｂ型）粘度計でローターの回転数を３０ｒｐｍに設定し、３０秒後に測定される値である。
【００７２】
［液体洗浄剤の使用方法］
液体洗浄剤の使用方法は、例えば、液体洗浄剤を洗濯時に被洗物と一緒に水に投入する方法、液体洗浄剤を予め水に溶解して調製される洗浄剤水溶液に被洗物を浸漬する方法等が挙げられる。また、液体洗浄剤を被洗物に直接塗布して、例えば、３分〜２４時間放置し、その後、通常の洗濯を行ってもよい。
前記洗浄剤水溶液中の液体洗浄剤の含有量は、特に限定されない。水に対する液体洗浄剤の添加量は、例えば、水１０Ｌ当たり、２〜３０ｍＬが好ましい。
【００７３】
液体洗浄剤を洗濯時に被洗物と一緒に水に投入する方法は、洗濯機に被洗物を投入する工程と、被洗物が投入された洗濯機に水を投入する工程と、水が投入された洗濯機に液体洗浄剤を投入する工程とを含む。洗濯機に水を投入した後に、被洗物を水が投入された洗濯機に投入してもよい。
【００７４】
液体洗浄剤を予め水に溶解して調製される洗浄剤水溶液に被洗物を浸漬する方法は、液体洗浄剤を水に溶解して洗浄剤水溶液を得る工程と、被洗物を洗浄剤水溶液に浸漬する工程とを含む。
【００７５】
液体洗浄剤を被洗物に直接塗布して被洗物を洗浄する方法（塗布洗浄）は、液体洗浄剤を被洗物の汚れに塗布する工程と、液体洗浄剤を塗布した被洗物を一定時間放置する工程と、放置された被洗物を洗濯機に投入する工程と、通常の洗濯を行う工程とを含む。一定時間放置する工程では、１分〜２４時間放置することが好ましく、３分〜１２時間放置することがより好ましく、５分〜１時間放置することがさらに好ましい。液体洗浄剤を塗布した被洗物を放置する時間が上記下限値以上であると、被洗物をよりきれいに洗浄しやすい。液体洗浄剤を塗布した被洗物を放置する時間が上記上限値以下であると、被洗物を効率よく洗浄しやすい。
【実施例】
【００７６】
以下に実施例を用いて本発明をさらに詳しく説明するが、本発明はこれら実施例に限定されるものではない。
本実施例において使用した原料は、下記の［使用原料］に示す通りである。【００７７】
［使用原料］
＜（Ａ）成分＞
ＡＥＳ−ＥＯ２：ポリオキシエチレンアルキルエーテル硫酸塩（アルキル基の炭素数１２〜１４、エチレンオキシドの平均付加モル数：２）、花王（株）製、商品名「ＥＭＡＬ２７０Ｎ」。
ＬＡＳ−Ｈ：直鎖アルキルベンゼンスルホン酸（アルキル基の炭素数１０〜１４）、ライオン・スペシャリティ・ケミカルズ（株）製、商品名「ライポンＬＨ−２００」。【００７８】
＜（Ｂ）成分＞
ＡＥ−ＥＯ９：ポリオキシエチレンアルキルエーテル（アルキル基の炭素数１２〜１４、ＥＯの平均付加モル数９）、ＥＣＯＧＲＥＥＮ  ＯＬＥＯＣＨＥＭＩＣＡＬＳ社製、商品名「ＥＣＯＬＡＴ２４−９」。
ＡＥ−ＥＯ７：ポリオキシエチレンアルキルエーテル（アルキル基の炭素数１２〜１４、ＥＯの平均付加モル数７）、ＥＣＯＧＲＥＥＮ  ＯＬＥＯＣＨＥＭＩＣＡＬＳ社製、商品名「ＥＣＯＬＡＴ２４−７」。
ＡＥ−ＥＯ５：ポリオキシエチレンアルキルエーテル（アルキル基の炭素数１２１４、ＥＯの平均付加モル数５）、ＥＣＯＧＲＥＥＮ  ＯＬＥＯＣＨＥＭＩＣＡＬＳ社製、商品名「ＥＣＯＬＡＴ２４−５」。【００７９】
＜（Ｃ）成分＞
ＮａＨＣＯ３：炭酸水素ナトリウム、関東化学（株）製、商品名「炭酸水素ナトリウム」。【００８０】
＜（Ｃ’）成分（（Ｃ）成分の比較成分）＞
Ｎａ２ＳＯ４：硫酸ナトリウム、関東化学（株）製、商品名「硫酸ナトリウム」。【００８１】
＜（Ｄ）成分＞
クエン酸：クエン酸、関東化学（株）製、商品名「クエン酸」。【００８２】
＜（Ｅ）成分＞
プロテアーゼ１：酵素、ノボザイムズ社製、商品名「Ｓａｖｉｎａｓｅ  Ｕｌｔｒａ  １６Ｌ」。
プロテアーゼ２：酵素、ノボザイムズ社製、商品名「Ｓａｖｉｎａｓｅ  Ｅｖｉｔｙ  １６Ｌ」。【００８３】
＜（Ｆ）成分＞
ラウリン酸：炭素数１２の脂肪酸、和光純薬工業（株）製、商品名「ラウリン酸」。
パルミチン酸：炭素数１６の脂肪酸、和光純薬工業（株）製、商品名「パルミチン酸」。
ステアリン酸：炭素数１８の脂肪酸、和光純薬工業（株）製、商品名「ステアリン酸」。【００８４】
＜（Ｇ）成分＞
ＭＥＡ：モノエタノールアミン、（株）日本触媒製、商品名「モノエタノールアミン」。
ＮａＯＨ４８％水溶液：ｐＨ調整剤（水酸化ナトリウム４８質量％水溶液）、関東化学（株）製、商品名「４８％水酸化ナトリウム溶液」。【００８５】
＜（Ｈ）成分＞
ＢＨＴ：ジブチルヒドロキシトルエン、東京化成工業（株）製、商品名「２，６−Ｄｉ−ｔｅｒｔ−ｂｕｔｙｌ−ｐ−ｃｒｅｓｏｌ」。【００８６】
＜（Ｉ）成分＞
色素：色素、ミリケン社製、商品名「Ｌｉｑｕｉｔｉｎｔ（登録商標）  ＢＬＵＥ  ＨＰ」。【００８７】
＜その他の任意成分＞
安息香酸ナトリウム：東亞合成（株）製、商品名「安息香酸ナトリウム」。
ポリエチレングリコール：ＰＥＧ１０００、分子量１０００のポリエチレングリコール、三井化学（株）製、商品名「ＰＥＧ＃１０００−Ｌ６０」。
香料：特開２００２−１４６３９９号公報記載の香料組成物Ａ。
水：精製水、関東化学（株）製、商品名「精製水」。【００８８】
［実施例１〜１８、参考例１、比較例１〜５］
表１〜５の組成に従い、（Ａ）成分〜（Ｉ）成分、及びその他の任意成分を水に加えて混合し、混合液を得た。前記混合液の温度は２５℃であり、混合液のｐＨが９となるようにｐＨ調整剤を適量添加して液体洗浄剤を得た。
得られた液体洗浄剤について下記評価法により、粘度、液体安定性、洗浄性を評価した。また、実施例２、１７、１８については、さらに、酸素吸収性、外観安定性を評価した。参考例１は、外観安定性の基準となる組成である。結果を表１〜５に示す。
なお、表中の各成分の配合量の単位は「質量％」であり、純分換算量を示す。「Ｂａｌａｎｃｅ」は、各例の組成物に含まれる全配合成分の合計の配合量（質量％）が１００質量％となるように水が配合されていることを意味する。【００８９】
＜粘度の評価＞
各例の液体洗浄剤６０ｇをビン（日電理化硝子（株）製、製品名：ＳＶ５０Ａ）に入れ、２５℃の水浴中で１時間静置した後、Ｂ型粘度計で粘度を測定した。粘度の測定条件は、２５℃、３０ｒｐｍ、３０秒、Ｎｏ．２のローターを使用、とした。
粘度の測定値から、下記評価基準に基づいて粘度の評価を判定した。
《評価基準》
◎：粘度６０ｍＰａ・ｓ以上１１００ｍＰａ・ｓ以下。
○：粘度４０ｍＰａ・ｓ以上６０ｍＰａ・ｓ未満、又は粘度１１００ｍＰａ・ｓ超１５００ｍＰａ・ｓ以下。
×：粘度４０ｍＰａ・ｓ未満、又は粘度１５００ｍＰａ・ｓ超。【００９０】
＜液体安定性の評価＞
（サイクル試験）
液体洗浄剤３０ｍＬを、円筒ガラス瓶に取り、蓋を閉めて密閉した。この状態で、−１５℃１２時間に静置後、５℃１２時間静置、を繰り返す条件に設定した恒温槽に３日間保存した。
その後、前記恒温槽より前記円筒ガラス瓶を取り出し、液体洗浄剤の透明均一性を目視で観察し、下記評価基準に基づいて液体洗浄剤の液体安定性を評価した。
《評価基準》
○：透明均一であった。
×：固化、析出又は白濁が認められた。【００９１】
（−５℃、０℃保存安定性）
液体洗浄剤３０ｍＬを、円筒ガラス瓶に取り、蓋を閉めて密閉した。この状態で−５℃、０℃に設定した恒温槽に１ヶ月間保存した。
その後、前記恒温槽より前記円筒ガラス瓶を取り出し、液体洗浄剤の透明均一性を目視で観察し、下記評価基準に基づいて液体洗浄剤の液体安定性を評価した。
《評価基準》
○：透明均一であった。
×：固化、析出又は白濁が認められた。【００９２】
（判定）
液体安定性の評価では、上記サイクル試験と−５℃、０℃保存安定性の評価を総合して判定した。下記評価基準において、◎及び○を合格とした。
《評価基準》
◎：サイクル試験の評価が「○」で、かつ、−５℃保存安定性及び０℃保存安定性の評価が「○」。
○：サイクル試験の評価が「×」で、かつ、−５℃保存安定性及び０℃保存安定性の評価が「○」。
×：−５℃保存安定性又は０℃保存安定性の評価が「×」。【００９３】
＜洗浄性の評価＞
（皮脂汚れに対する洗浄力）
色差計（日本電色工業社製、製品名：ＳＥ−２０００）で、洗浄前の湿式人工汚染布（洗濯科学協会より購入。以下、汚染布という。）１０枚の反射率Ｒを測定した（ハンター白度Ｚから反射率  Ｒ＝Ｚ／１００として算出する。以下同様。）。Ｔｅｒｇ−Ｏ−Ｔｏｍｅｔｅｒ（Ｕ．Ｓ．Ｔｅｓｔｉｎｇ社製）を洗浄試験器として用い、汚染布１０枚とチャージ布（メリヤス布を細かく裁断し、十分に洗浄とすすぎを行い乾燥したもの）と洗浄液とを浴比３０倍（洗浄液／チャージ布の総質量）となるように秤量して洗浄槽に入れた。洗浄液は１５℃の水道水９００ｍＬに実施例、比較例の組成物を、濃度１０００ｐｐｍとなるように溶解したものを用いた。
回転数１２０ｒｐｍ、温度１５℃で１０分間洗浄した後、１５℃の水道水９００ｍＬで３分間すすぎを２回行った。すすいだ後乾燥させて、４６０ｎｍフィルターを使用して、洗浄後の汚染布の反射率Ｒを測定し、下式によって洗浄率（％）を算出した。【００９４】
【数２】
2019124486.tif 000003
【００９５】
上記数式中、洗浄布とは汚染布を洗浄した後の布を意味し、未汚垢布とは、汚れを付着させていない元の白布（原布）を意味する。また、Ｋは吸光係数、Ｓは散乱係数、Ｒは反射率を表す。
得られる洗浄率の値が大きいほど洗浄力が高いことを示す。汚染布１０枚について洗浄率（％）を算出し、その平均値を用いて、下記評価基準に基づいて皮脂汚れに対する洗浄力を評価した。
下記評価基準において、◎及び○を合格とした。
《評価基準》
◎：洗浄率８５％以上。
○：洗浄率８０％以上８５％未満。
×：洗浄率８０％未満。【００９６】
（タンパク汚れに対する洗浄力）
汚染布として、ＥＭＰＡ１１７（Ｓｗｉｓｓａｔｅｓｔ ＴｅｓｔｍａｔｅｒｉａｌｉｅｎＡＧより購入。）を用いた以外は、皮脂汚れに対する洗浄力と同様に評価した。【００９７】
＜酸素吸収性の評価＞
各例の液体洗浄剤１５ｍＬを容量２２ｍＬのヘッドスペース用クリンプバイアルに取り、セプタムで蓋を閉めて密閉した。このクリンプバイアルを５０℃に設定した恒温槽に１ヶ月間保存した。その後、恒温槽からクリンプバイアルを取り出し、室温（２５℃）で冷却した。その後、ヘッドスペースの空気をシリンジでとり、ガスクロマトグラフィーで酸素量（μｌ）を測定した。下記式により酸素吸収量（μｌ）、酸素を吸収した割合（体積％）を算出し、下記評価基準に基づいて酸素吸収性を評価した。下記評価基準において、◎又は○を合格とした。
（酸素吸収量（μｌ））＝（空気の酸素量（μｌ））−（保存後のヘッドスペースの酸素量（μｌ））
（酸素を吸収した割合（体積％））＝（酸素吸収量（μｌ））／（空気の酸素量（μｌ））×１００
《評価基準》
◎：酸素を吸収した割合が、１．５体積％未満。
○：酸素を吸収した割合が、１．５体積％以上２．５体積％未満。
×：酸素を吸収した割合が、２．５体積％以上。【００９８】
＜外観安定性の評価＞
液体洗浄剤５０ｍＬを、円筒ガラス瓶に取り、蓋を閉めて密閉した。この状態で、日光が当たる場所（実験室内の窓際）に１週間静置した。
その後、液体洗浄剤の色を目視で観察し、下記評価基準に基づいて液体洗浄剤の外観安定性（退色の程度）を評価した。下記評価基準において、（Ｃ）成分を含有しない参考例１の液体洗浄剤を基準とし、比較した。下記評価基準において、◎又は○を合格とした。
《評価基準》
◎：基準液体洗浄剤と同等。
○：基準液体洗浄剤よりもやや退色している。
×：基準液体洗浄剤よりもはっきりと退色している。【００９９】
【表１】
2019124486.tif 000004
【０１００】
【表２】
2019124486.tif 000005
【０１０１】
【表３】
2019124486.tif 000006
【０１０２】
【表４】
2019124486.tif 000007
【０１０３】
【表５】
2019124486.tif 000008
【０１０４】
表１〜５に示すように、本発明を適用した実施例１〜１８は、粘度、低温時の液体安定性及び洗浄性が「◎」又は「○」で、適度な粘度を有し、洗浄力及び低温時の液体安定性に優れることが分かった。加えて、（Ｈ）成分をさらに含有する実施例１７〜１８は、酸素吸収性及び外観安定性に優れることが分かった。
一方、（Ｂ）成分を含有しない比較例１は、低温時の液体安定性及び皮脂汚れに対する洗浄力が「×」だった。
（Ａ）成分を含有しない比較例２は、粘度及びタンパク汚れに対する洗浄力が「×」だった。
（Ｃ）／（Ｄ）比が本発明の適用範囲外である比較例３は、低温時の液体安定性が「×」だった。
（Ｃ）成分を含有しない比較例４は、粘度及びタンパク汚れに対する洗浄力が「×」だった。
（Ｃ）成分の代わりに（Ｃ’）成分を用いた比較例５は、低温時の液体安定性及びタンパク汚れに対する洗浄力が「×」だった。【０１０５】
本発明の衣料用液体洗浄剤組成物によれば、適度な粘度を有し、低温時の液体安定性により優れることが分かった。
【国際調査報告】
2019124486.tif 000009
2019124486.tif 000010
2019124486.tif 000011
2019124486.tif 000012